(57)【要約】【課題】ＵＳＢメモリやメモリカード等の可搬型記憶媒体が、破損データを保存した状態でＩＤカード発行センターへ搬送されることを防止する。【解決手段】撮影装置１００は、作成装置２００がカード基板に顔画像を形成してＩＤカードを作成するために用いる顔画像データを可搬型のメモリ３００に書き込む。撮影装置１００は、ＩＤカード利用者を撮影して顔画像データを生成する撮影部１１４と、顔画像データを記憶する記憶部１０４と、記憶部１０４に記憶されている顔画像データをメモリ３００に書き込むリーダライタ１０６と、リーダライタ１０６のメモリ挿入口に設けられたカバー１０８と、カバー１０８の開閉を検知する開閉センサ１１０と、を備える。リーダライタ１０６は、開閉センサ１１０によりカバー１０８が開かれたことが検知された場合、メモリ３００への顔画像データの書き込みを停止する。【選択図】図１
2015023319.tif 000002
【特許請求の範囲】
【請求項１】
作成装置がカード基板に顔画像を形成してＩＤカードを作成するために用いる顔画像データを可搬型のメモリに書き込む撮影装置であって、
ＩＤカード利用者を撮影して前記顔画像データを生成する撮影部と、
前記顔画像データを記憶する記憶部と、
前記記憶部に記憶されている前記顔画像データを前記メモリに書き込むリーダライタと、
前記リーダライタのメモリ挿入口に設けられたカバーと、
前記カバーの開閉を検知する開閉センサと、
を備え、
前記リーダライタは、前記開閉センサにより前記カバーが開かれたことが検知された場合は、前記メモリへの前記顔画像データの書き込みを停止することを特徴とする撮影装置。
【請求項２】
前記リーダライタは、前記メモリから、前記メモリを識別するラベルを読み出し、
前記記憶部は、前記顔画像データが書き込まれたメモリのラベルを記憶することを特徴とする請求項１に記載の撮影装置。
【請求項３】
前記記憶部は、前記顔画像データが前記メモリに書き込まれたか否かを示すフラグを記憶することを特徴とする請求項１又は２に記載の撮影装置。
【請求項４】
前記リーダライタは、前記メモリのクローズ処理を行う前に、前記メモリに書き込まれていないことを示すフラグに対応する前記顔画像データを、前記メモリに書き込むことを特徴とする請求項３に記載の撮影装置。
【請求項５】
前記リーダライタは、動作開始時又は電源投入時に、前記メモリに書き込まれていないことを示すフラグに対応する前記顔画像データを、前記メモリに書き込むことを特徴とする請求項３に記載の撮影装置。
【請求項６】
前記カード利用者のカード発行申請書をスキャンして申請書画像を作成するスキャナをさらに備え、
前記記憶部は、前記顔画像データと関連付けて前記申請書画像を記憶し、
前記リーダライタは、前記顔画像データとともに前記申請書画像を前記メモリに書き込むことを特徴とする請求項１乃至５のいずれかに記載の撮影装置。
【請求項７】
前記リーダライタは、前記メモリへのデータ書き込み中に前記開閉センサにより前記カバーが開けられたことが検知された場合、データの書き込みを中止し、前記メモリ内の書き込み中のデータを破棄することを特徴とする請求項１乃至６のいずれかに記載の撮影装置。
【請求項８】
請求項１乃至７のいずれかに記載の撮影装置と、ＩＤカードを作成する作成装置とを備えるＩＤカード作成システムであって、前記作成装置は、
前記撮影装置により前記顔画像データが書き込まれた前記メモリから前記顔画像データを読み出す読み出し部と、
前記ＩＤカード利用者についてＩＤカードの発行可否を判断するホストコンピュータと、
前記顔画像データを用いてカード基板に前記ＩＤカード利用者の顔画像を形成するとともに、前記カード基板に前記ＩＤカード利用者の個人情報を印字してＩＤカードを出力するプリンタと、
を備えることを特徴とするＩＤカード作成システム。
【発明の詳細な説明】
【技術分野】
【０００１】
本発明は、従業員証や身分証明書などの顔写真の入ったＩＤカードを作成するＩＤカード作成システム及び顔画像データを生成する撮影装置に関するものである。
【背景技術】
【０００２】
近年、従業員証、入館証、資格証明証などの顔写真の入ったＩＤカードが使用されることが多い。このようなＩＤカードの作成システムは、ＩＤカード利用者の顔面部位を撮影して顔画像データを生成する撮影装置と、ＩＤカード利用者の住所、氏名、生年月日、カード有効期限等の個人情報を記憶したホストコンピュータと、顔画像及び個人情報をカードに印字してＩＤカードを作成するプリンタとを備えている。
【０００３】
従来のＩＤカード作成システムでは、ホストコンピュータ及びプリンタがＩＤカード発行センターに設置され、撮影装置は発行センターとは地理的に離れた場所に設置されていた。そのため、撮影装置により生成された顔画像データは、可搬型記憶媒体に格納され、ＩＤカード発行センターへ搬送されていた。
【先行技術文献】
【特許文献】
【０００４】
【特許文献１】特開２０００−３１１２１３号公報
【発明の概要】
【発明が解決しようとする課題】
【０００５】
可搬型記憶媒体にＭＯやＣＤ−ＲＯＭ等の光磁気ディスクや光ディスクが使用される場合、ディスクドライブ装置によりデータの書き込みが行われるため、データの書き込み途中に記憶媒体が取り出されることはなかった。
【０００６】
しかし、可搬型記憶媒体にＵＳＢメモリやメモリカード等のフラッシュメモリが使用される場合、これらの記憶媒体はデータ書き込み機構から手動で容易に抜き取ることができる。そのため、データの書き込み途中に誤って抜かれ、データ破壊が発生した可搬型記憶媒体がＩＤカード発行センターへ搬送されると、ＩＤカード発行センターでは顔画像データの取得が出来ず、撮影装置側でバックアップしてある顔画像データを、再度、可搬型記憶媒体に格納して搬送することになり、ＩＤカードの発行に時間がかかっていた。
【０００７】
本発明は、このような課題を解決し得るＩＤカード作製システムを提供することを目的とする。
【課題を解決するための手段】
【０００８】
本発明の一態様による撮影装置は、作成装置がカード基板に顔画像を形成してＩＤカードを作成するために用いる顔画像データを可搬型のメモリに書き込む撮影装置であって、ＩＤカード利用者を撮影して前記顔画像データを生成する撮影部と、前記顔画像データを記憶する記憶部と、前記記憶部に記憶されている前記顔画像データを前記メモリに書き込むリーダライタと、前記リーダライタのメモリ挿入口に設けられたカバーと、前記カバーの開閉を検知する開閉センサと、を備え、前記リーダライタは、前記開閉センサにより前記カバーが開かれたことが検知された場合は、前記メモリへの前記顔画像データの書き込みを停止することを特徴とする。
【０００９】
本発明の一態様による撮影装置は、前記リーダライタは、前記メモリから、前記メモリを識別するラベルを読み出し、前記記憶部は、前記顔画像データが書き込まれたメモリのラベルを記憶することを特徴とする。
【００１０】
本発明の一態様による撮影装置は、前記記憶部は、前記顔画像データが前記メモリに書き込まれたか否かを示すフラグを記憶することを特徴とする。
【００１１】
本発明の一態様による撮影装置は、前記リーダライタは、前記メモリのクローズ処理を行う前に、前記メモリに書き込まれていないことを示すフラグに対応する前記顔画像データを、前記メモリに書き込むことを特徴とする。
【００１２】
本発明の一態様による撮影装置は、前記リーダライタは、動作開始時又は電源投入時に、前記メモリに書き込まれていないことを示すフラグに対応する前記顔画像データを、前記メモリに書き込むことを特徴とする。
【００１３】
本発明の一態様による撮影装置は、前記カード利用者のカード発行申請書をスキャンして申請書画像を作成するスキャナをさらに備え、前記記憶部は、前記顔画像データと関連付けて前記申請書画像を記憶し、前記リーダライタは、前記顔画像データとともに前記申請書画像を前記メモリに書き込むことを特徴とする。
【００１４】
本発明の一態様による撮影装置は、前記リーダライタは、前記メモリへのデータ書き込み中に前記開閉センサにより前記カバーが開けられたことが検知された場合、データの書き込みを中止し、前記メモリ内の書き込み中のデータを破棄することを特徴とする。
【００１５】
本発明の一態様によるＩＤカード作成システムは、前記撮影装置と、ＩＤカードを作成する作成装置とを備えるＩＤカード作成システムであって、前記作成装置は、前記撮影装置により前記顔画像データが書き込まれた前記メモリから前記顔画像データを読み出す読み出し部と、前記ＩＤカード利用者についてＩＤカードの発行可否を判断するホストコンピュータと、前記顔画像データを用いてカード基板に前記ＩＤカード利用者の顔画像を形成するとともに、前記カード基板に前記ＩＤカード利用者の個人情報を印字してＩＤカードを出力するプリンタと、を備えることを特徴とする。
【発明の効果】
【００１６】
本発明によれば、メモリ挿入部にカバーを設け、カバーが閉じられているときに顔画像データをメモリに書き込むため、データ破壊が発生したメモリがＩＤカード発行センターへ搬送されることを防止できる。
【図面の簡単な説明】
【００１７】
【図１】本実施形態に係るＩＤカード作成システムの概略構成図である。
【図２】本実施形態に係る撮影装置の外観斜視図である。
【図３】本実施形態に係る撮影装置の記憶部におけるデータ記憶形式の一例を示す図である。
【図４】本実施形態に係るメモリへのデータ書き込み方法を説明するフローチャートである。
【図５】本実施形態に係る撮影装置の記憶部におけるデータ記憶形式の一例を示す図である。
【図６】本実施形態に係るメモリへのデータ書き込み方法を説明するフローチャートである。
【発明を実施するための形態】
【００１８】
以下、本発明の実施の形態を図面に基づいて説明する。
【００１９】
図１に本発明の実施形態に係るＩＤカード作成システムの概略構成を示す。ＩＤカード作成システムは、顔画像データを生成する撮影装置１００と、顔画像及び個人情報が印字されたＩＤカードを作成する作成装置２００とを備えている。作成装置２００は、ＩＤカード発行センターに設置され、撮影装置１００は発行センターとは別の場所に設置されている。撮影装置１００から作成装置２００への顔画像データの転送は可搬型のメモリ３００により行われる。すなわち、撮影装置１００で生成された顔画像データがメモリ３００に格納され、このメモリ３００がＩＤカード発行センターへ搬送される。
【００２０】
メモリ３００には、ＵＳＢメモリやメモリカードの取り外しが容易な小型リムーバブルメディア（Removable media）が使用される。本実施形態では、メモリ３００にＵＳＢメモリを用いる例について説明し、以下ではＵＳＢメモリ３００と称する。
【００２１】
図１に示すように、作成装置２００は、リーダライタ２０２、記憶部２０４、ホストコンピュータ２０６、プリンタ２０８、及び制御部２１０を有する。
【００２２】
リーダライタ２０２は、ＵＳＢメモリ３００に保存されているカード利用者（カード発行申請者）の顔画像データやＩＤ番号、カード発行申請書画像等を読み出し、記憶部２０４に格納する。
【００２３】
記憶部２０４は、例えばハードディスクドライブであり、リーダライタ２０２がＵＳＢメモリ３００から読み出した顔画像データや、カード利用者の個人情報を記憶している。
【００２４】
制御装置２１０は、カード利用者からカード発行申請があった場合に、ホストコンピュータ２０６に照会要求を送信する。ホストコンピュータ２０６からの照会結果（回答）がカード発行を許可するものであった場合、制御装置２１０は、カード利用者の顔画像データ及び個人情報を記憶部２０４から取り出して、プリンタ２０８へ送信する。
【００２５】
プリンタ２０８は、受信した顔画像データ及び個人情報に基づいて、カード基板にカラー顔画像を形成したり、文字を印字したりする。その後、プリンタ２０８は、カード基板にフィルム状の保護シートを貼り合わせて、ＩＤカードを出力する。
【００２６】
図１に示すように、撮影装置１００は、制御部１０２、記憶部１０４、リーダライタ１０６、開閉センサ１１０、照明部１１２、撮影部１１４、スキャナ１１８、表示部１２０、及び操作部１２２を備え、カード利用者の顔画像データを生成し、顔画像データ、カード利用者のＩＤ番号、カード発行申請書の内容等をＵＳＢメモリ３００に書き込む。
【００２７】
図２は撮影装置１００の外観斜視図である。図２に示すように、表示部１２０、操作部１２２、及び撮影部１１４が、筐体１０１の上面１０１Ａに設けられている。
【００２８】
表示部１２０は、例えば液晶ディスプレイである。操作部１２２は、例えばキーボード、マウス、ボタン等で構成され、各種情報や指示を入力できるようになっている。表示部１２０及び操作部１２２としてタッチパネルを使用してもよい。
【００２９】
筐体１０１の上面１０１Ａは、表示部１２０側の前方縁１０１ａと、表示部１２０と反対側の後方縁１０１ｂとを有する矩形状になっている。撮影装置１００の操作員は筐体１０１の前方縁１０１ａ側に立ち、被写体人物（カード利用者）は筐体１０１の後方縁１０１ｂ側に座る。
【００３０】
撮影部１１４は、例えば、デジタルカメラやビデオカメラであり、操作部１２２を介して、撮影の開始や終了を指示することができる。撮影部１１４は、カード利用者の顔部位を撮影して、顔画像データを生成する。生成された顔画像データは、表示部１２０に表示することができる。
【００３１】
また、筐体１０１上方に照明部１１２が設けられている。照明部１１２は、撮影部１２２の撮影時に、被写体人物に対して照明光を照射する。照明部１１２は下端両側に取付けられた一対の支柱１１６により支持されている。
【００３２】
筐体１０１の側面のうち、表示部１２０側（操作員側）の側面１０１Ｂには、ＵＳＢメモリ３００に対して顔画像データ等を書き込むリーダライタ１０６のＵＳＢ挿入口と、このＵＳＢ挿入口を覆うカバー１０８が設けられている。カバー１０８の開閉が、カバー開閉センサ１１０により検知されるようになっている。カバー１０８には窓１０８ａが設けられており、ＵＳＢ挿入口にＵＳＢメモリ３００が挿入されているか否かを視認できるようになっている。
【００３３】
ＵＳＢメモリ３００には、ＵＳＢメモリを一意に特定するラベル（識別情報）が付されており、リーダライタ１０６は、ＵＳＢ挿入口にＵＳＢメモリ３００が挿入されると、このＵＳＢメモリ３００のラベルを読み取る。
【００３４】
スキャナ１１８（図２には図示せず）は、カード利用者から提出されたカード発行の申請書を読み取り、申請書画像を生成する。また、ＯＣＲ（Optical Character Recognition：光学文字認識）機能を有するスキャナを用いて、申請書からカード利用者のＩＤ番号を取得してもよい。
【００３５】
記憶部１０４は、例えばハードディスク装置であり、カード利用者のＩＤ番号、撮影日付、撮影部１１４により生成された顔画像データ、及びスキャナ１１８により生成された申請書画像データを含む画像情報を格納する。また、記憶部１０４は、この画像情報がＵＳＢメモリ３００へ書き込まれたか否かを示す書き込みステータス情報を格納する。
【００３６】
記憶部１０４のデータ記憶形式の一例を図３に示す。書き込みステータス情報は、ＵＳＢメモリ３００のラベル及び書き込み完了フラグを含む。書き込み完了フラグが“１”の場合はＵＳＢメモリ３００への画像情報の書き込みが完了したことを示し、書き込み完了フラグが“０”の場合はＵＳＢメモリ３００への画像情報の書き込みが完了していないことを示す。書き込みステータス情報に含まれるラベルは、画像情報が書き込まれたＵＳＢメモリ３００のラベルを示す。
【００３７】
なお、書き込みステータス情報にＵＳＢメモリ３００のラベルが記載され、かつ書き込み完了フラグが“０”の場合（図３の撮影Ｎｏ．６、７）は、撮影処理中又はデータ書き込み中にカバー１０８が開かれ、ＵＳＢメモリ３００に画像情報が正常に書き込まれていない可能性があることを示している。
【００３８】
また、書き込みステータス情報にＵＳＢメモリ３００のラベルが記載されていない場合（図３の撮影Ｎｏ．８〜１０）は、ＵＳＢメモリ３００をリーダライタ１０６のＵＳＢ挿入口に挿入せずに撮影処理を行い、画像情報を記憶部１０４に保存し、ＵＳＢメモリ３００への書き込みは行われなかったことを示している。
【００３９】
撮影装置１００は、画像情報をＵＳＢメモリ３００に書き込むとともに記憶部１０４に画像情報（バックアップ）を保存しておく“通常モード”と、ＵＳＢメモリ３００を使用せずに、画像情報を記憶部１０４に保存しておく“内部メモリ記録モード”の２種類の動作モードを有している。図３の撮影Ｎｏ．８〜１０は“内部メモリ記録モード”に対応する。
【００４０】
制御部１０２は、撮影装置１００の各部の動作制御及びデータ転送制御を行う。制御部１０２は、例えば、ＣＰＵ（中央演算処理装置）がプログラムを実行することで実現される。ＣＰＵや記憶部１０４を備えたコンピュータが筐体１０１内に収納されている。
【００４１】
次に、このような撮影装置１００を用いたＵＳＢメモリ３００への画像情報の書き込み方法を、図４に示すフローチャートを用いて説明する。なお、図４は、“通常モード”における動作中に、カバー１０８が閉じられたままであった場合のフローを示している。
【００４２】
（ステップＳ１０１）撮影装置１００の動作が開始し、ＵＳＢメモリ３００の挿入の待ち受け状態となる。ＵＳＢメモリ３００がＵＳＢ挿入口に挿入された場合はステップＳ１０２へ進み、挿入されていない場合はステップＳ１０６へ進む。
【００４３】
（ステップＳ１０２）カバー開閉センサ１１０によりカバー１０８が閉じられたことが検知された場合は、ステップＳ１０３へ進み、検知されていない場合はステップＳ１０６へ進む。
【００４４】
（ステップＳ１０３）ＵＳＢメモリ３００のオープン処理が行われる。例えば、データ転送に必要なパイプのオープン処理が行われる。
【００４５】
（ステップＳ１０４）挿入されたＵＳＢメモリ３００が正常であればステップＳ１０５へ進み、正常でない場合はステップＳ１０７へ進む。
【００４６】
（ステップＳ１０５）“通常モード”での撮影前処理が行われる。具体的には、記憶装置１０４のデータベースに撮影日が登録される。また、挿入されたＵＳＢメモリ３００からラベルが読み出され、書き込みステータス情報のＵＳＢメモリラベルに記録される。
【００４７】
（ステップＳ１０６）ＵＳＢメモリ３００を挿入し、カバー１０８を閉じることを指示する内容が表示部１２０に表示される。
【００４８】
（ステップＳ１０７）ＵＳＢメモリ３００を使用しない“内部メモリ記録モード”で処理を行う場合はステップＳ１０８へ進み、行わない場合は別のＵＳＢメモリを挿入することを指示する内容を表示部１２０に表示し、ステップＳ１０１に戻る。
【００４９】
（ステップＳ１０８）“内部メモリ記録モード”での撮影前処理が行われる。具体的には、記憶装置１０４のデータベースに撮影日が登録される。また、書き込みステータス情報の書き込み完了フラグに“０”が記載され、ＵＳＢメモリラベルは空欄になる。
【００５０】
（ステップＳ１０９）カード利用者のＩＤ番号を、操作部１２２を用いて入力する。入力されたＩＤ番号は記憶装置１０４に登録される。
【００５１】
（ステップＳ１１０）スキャナ１１８によりカード利用者から提出されたカード発行の申請書を読み取り、申請書画像を生成する。生成された申請書画像は記憶装置１０４に格納され、カード利用者のＩＤ番号と関連付けられる。
【００５２】
スキャナ１１８のＯＣＲ機能により、申請書からカード利用者のＩＤ番号を取得できる場合は、ステップＳ１０９を省略してもよい。
【００５３】
（ステップＳ１１１）撮影部１１４がカード利用者の顔部位を撮影して、顔画像データを生成する。生成された顔画像データが、表示部１２０に表示される。
【００５４】
（ステップＳ１１２）表示部１２０に表示された画像を承諾する場合は、操作部１２２の決定ボタンを押す。これにより、ステップＳ１１３に進む。一方、再撮影を行う場合は、操作部１２２の再撮影ボタンを押す。これにより、ステップＳ１１１に戻る。
【００５５】
（ステップＳ１１３）顔画像データが記憶装置１０４に格納され、カード利用者のＩＤ番号と関連付けられる。
【００５６】
（ステップＳ１１４）“通常モード”である場合はステップＳ１１５へ進み、“内部メモリ記録モード”である場合はステップＳ１１６へ進む。
【００５７】
（ステップＳ１１５）記憶装置１０４に格納されているカード利用者のＩＤ番号、撮影日付、顔画像データ、及び申請書画像データを含む画像情報がＵＳＢメモリ３００に書き込まれる。また、この画像情報に対応する記憶装置１０４内の書き込みステータス情報の書き込み完了フラグが“１”になる。このことにより、この画像情報がＵＳＢメモリ３００に書き込み済であることが分かる。
【００５８】
（ステップＳ１１６）記憶装置１０４に格納されているカード利用者のＩＤ番号、撮影日付、顔画像データ、及び申請書画像データを含む画像情報に対応する書き込みステータス情報の書き込み完了フラグが“０”になる。このことにより、この画像情報がＵＳＢメモリ３００に書き込まれていないことが分かる。
【００５９】
（ステップＳ１１７）カード発行を申請するカード利用者がさらにいる場合はステップＳ１０９に戻る。すべてのカード発行申請者の撮影が終了した場合はステップＳ１１８へ進む。
【００６０】
（ステップＳ１１８）ＵＳＢメモリ３００のクローズ処理が行われる。例えば、データ転送に必要なパイプがクローズ状態になる。これにより、ＵＳＢ挿入口からＵＳＢメモリ３００を正常に取り外せるようになる。
【００６１】
その後、取り外されたＵＳＢメモリ３００はＩＤカード発行センターに搬送され、作成装置２００のリーダライタ２０２に挿入される。リーダライタ２０２によりＵＳＢメモリ３００から読み出された画像情報が、記憶部２０４に格納される。ホストコンピュータ２０６がカード発行を許可すると、顔画像データ及び個人情報が記憶部２０４から取り出され、プリンタ２０８へ送信される。プリンタ２０８は、顔画像データ及び個人情報を用いてカード基板に顔画像や文字を印字して、ＩＤカードを作成する。
【００６２】
図４は、“通常モード”における動作中に、カバー１０８が閉じられたままであった場合のフローを示しているが、カバー開閉センサ１１０によりカバー１０８が開けられたことが検知された場合、ＵＳＢメモリ３００に正常にデータが書き込まれていない可能性があるため、ステップＳ１１５では書き込み完了フラグを“０”にする。ＵＳＢメモリ３００への書き込み中に、カバー１０８が開けられたことが検知された場合は、ＵＳＢメモリ３００内の書き込み途中のデータは破棄される。また、カバー１０８が開いていることを表示部１２０に表示し、オペレータに報知する。
【００６３】
以後、カバー開閉センサ１１０によりカバー１０８が閉じられたことが検知されるまでは、各カード利用者の書き込みステータス情報の書き込み完了フラグを“０”にし、ＵＳＢメモリ３００へのデータ書き込みは行わない。そして、カバー開閉センサ１１０によりカバー１０８が閉じられたことが検知された後は、ＵＳＢメモリ３００への書き込みを再開し、書き込みステータス情報の書き込み完了フラグを“１”にする。
【００６４】
カバー１０８が開けられたことが検知された場合、撮影装置１００は、ＵＳＢメモリ３００のクローズ処理を行う前に、書き込み完了フラグが“０”となっている書き込みステータス情報に対応する画像情報をＵＳＢメモリ３００に書き込む。
【００６５】
図５は、１人目〜３人目のカード利用者の撮影・データ転送時はカバー１０８が閉じられており、４人目のカード利用者の撮影・データ転送時にカバー１０８が開けられたことが検知され、６人目のカード利用者の撮影・データ転送前にカバー１０８が閉じられたことが検知された場合の記憶部１０４内のデータの例を示している。
【００６６】
撮影装置１００は、ＵＳＢメモリ３００のクローズ処理を行う前に、書き込み完了フラグが“０”となっている書き込みステータス情報に対応する画像情報、すなわち４人目のカード利用者の画像情報及び５人目のカード利用者の画像情報をＵＳＢメモリ３００に書き込む。ＵＳＢメモリ３００への画像情報の書き込み後、書き込み完了フラグは“０”から“１”に書き換えられる。
【００６７】
なお、書き込み完了フラグが“０”となっている書き込みステータス情報に対応する画像情報をＵＳＢメモリに書き込む場合、挿入されているＵＳＢメモリのラベルと、書き込みステータス情報のラベルとを比較することが好ましい。カバー１０８を開けた際にＵＳＢメモリが取り外され、別のＵＳＢメモリが挿入された可能性があるためである。
【００６８】
比較結果が一致しない場合は、その旨を表示部１２０に表示し、挿入されているＵＳＢメモリに画像情報を書き込むか否かをオペレータに選択させることが好ましい。挿入されているＵＳＢメモリにこのまま画像情報を書き込む場合、記憶部１０４内の書き込みステータス情報のラベルは書き換えられる。
【００６９】
このように、本実施形態によれば、カバー１０８が開けられＵＳＢメモリ３００に触れたりすることでＵＳＢメモリ３００へ正常に書き込まれなかった可能性のある画像情報を検出し、ＵＳＢメモリ３００に正しく書き込む（新規保存又は上書き保存する）ことができ、破損データを保存したＵＳＢメモリ３００が発行センターに搬送されることを防止できる。
【００７０】
撮影装置１００が“内部メモリ記録モード”で動作していた場合、処理の終了後には、図３の撮影Ｎｏ．８〜１０のような、書き込みステータス情報に、ＵＳＢメモリのラベルが記載されておらず、かつ書き込み完了フラグが“０”のデータが記憶部１０４に残る。この場合、撮影装置１００の次回の動作開始時（例えば電源投入時）に図６のフローチャートに示すような処理が行われる。
【００７１】
（ステップＳ２０１）ＵＳＢメモリへの書き込みが行われていないデータが記憶部１０４に存在していることが表示部１２０に表示される。このデータをＵＳＢメモリに書き込む場合はステップＳ２０２に進む。
【００７２】
（ステップＳ２０２）操作部１２２を介して、書き込み未完了データのＵＳＢメモリへの書き込みが指示されると、ＵＳＢメモリ３００の挿入の待ち受け状態となる。ＵＳＢメモリ３００がＵＳＢ挿入口に挿入された場合はステップＳ２０３へ進み、挿入されていない場合はステップＳ２０４へ進む。
【００７３】
（ステップＳ２０３）カバー開閉センサ１１０によりカバー１０８が閉じられたことが検知された場合は、ステップＳ２０５へ進み、検知されていない場合はステップＳ２０４へ進む。
【００７４】
（ステップＳ２０４）ＵＳＢメモリ３００を挿入し、カバー１０８を閉じることを指示する内容が表示部１２０に表示される。
【００７５】
（ステップＳ２０５）ＵＳＢメモリ３００のオープン処理が行われる。例えば、データ転送に必要なパイプのオープン処理が行われる。また、挿入されたＵＳＢメモリ３００からラベルが読み出される。
【００７６】
（ステップＳ２０６）記憶部１０４に保存されている書き込み完了フラグが“０”となっている画像情報がＵＳＢメモリ３００に書き込まれる。画像情報の書き込み後、記憶部１０４の書き込みステータス情報には、ステップＳ２０５で読み出されたラベルが記録され、書き込み完了フラグが“１”となる。
【００７７】
（ステップＳ２０７）ＵＳＢメモリ３００のクローズ処理が行われる。例えば、データ転送に必要なパイプがクローズ状態になる。これにより、ＵＳＢ挿入口からＵＳＢメモリ３００を正常に取り外せるようになる。
【００７８】
このような処理により、“内部メモリ記録モード”で記憶部１０４に保存されていたデータをＵＳＢメモリ３００に書き込むことができる。
【００７９】
なお、ステップＳ２０６の後、ＵＳＢメモリ３００のクローズ処理を行わずに、図４のステップＳ１０５へ進んでもよい。
【００８０】
上記実施形態では、“通常モード”における動作中にカバー１０８が開けられたことが検知された場合、書き込み完了フラグを“０”にしながら処理を継続していたが、ＵＳＢメモリ３００のクローズ処理を行い、処理を終了してもよい。また、カバー１０８が開いているため処理を終了することを表示部１２２に表示し、操作部１２２を介してオペレータから終了指示を受け付けた場合に、ＵＳＢメモリ３００のクローズ処理を行い、処理を終了してもよい。
【００８１】
上記実施形態において、カバー１０８をロックするロック機構を設け、ＵＳＢ挿入口にＵＳＢメモリ３００を挿入してカバー１０８を閉じてから、ＵＳＢメモリ３００のクローズ処理を行うまでの間（図４のステップＳ１０３〜Ｓ１１８の間）、カバー１０８をロックするようにしてもよい。これにより、撮影・データ転送時にＵＳＢメモリ３００が抜かれたりしてＵＳＢメモリ３００内のデータが破損することを防止できる。
【００８２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８３】
１００  撮影装置
１０１  筐体
１０２  制御部
１０４  記憶部
１０６  リーダライタ
１０８  カバー
１１０  開閉センサ
１１２  照明部
１１４  撮影部
１１６  支柱
１１８  スキャナ
１２０  表示部
１２２  操作部
２００  作成装置
２０２  リーダライタ
２０４  記憶部
２０６  ホストコンピュータ
２０８  プリンタ
２１０  制御部
３００  メモリ
【図１】
2015023319.tif 000003
【図２】
2015023319.tif 000004
【図３】
2015023319.tif 000005
【図４】
2015023319.tif 000006
【図５】
2015023319.tif 000007
【図６】
2015023319.tif 000008